(57)【要約】【課題】交換の際の作業員の安全性を確保し、作業員が屋根から転落する危険性を低下させた屋根瓦型の太陽電池モジュールを提供する。【解決手段】太陽電池モジュール１は、固定具４と開口４４とフック５とを備える。固定具４は、立ち上がり面４３と当該立ち上がり面４３から屈曲した支持面４２とを有する。開口４４は、固定具４の立ち上がり面４３に設けられる。フック５は、フレーム３の棟側に設けられ、モジュール裏へ立ち上がって軒側へ屈曲する。敷設の際、フック５を棟側から開口４４に挿入して引っ掛けつつ、支持面４２にフレーム３の棟側を載置する。取り外す際、軒側から棟側の方向に押し込むことでフック５を開口４４から引き抜く。【選択図】図４
2013249582.tif 000002
【特許請求の範囲】
【請求項１】
フレームに太陽電池パネルを嵌め込んでなり、梁行き方向に積み重ねるように野地板上に直接又はルーフィングシートを介して敷設される太陽電池モジュールであって、
前記野地板に対する立ち上がり面と当該立ち上がり面から屈曲した支持面とを有する固定具と、
前記立ち上がり面に設けられた開口と、
前記フレームの棟側に設けられ、モジュール裏へ立ち上がって軒側へ屈曲するフックと、
を備え、
前記野地板へ敷設する場合には、前記フックを棟側から前記開口に挿入して引っ掛けつつ、前記支持面に前記フレームの棟側を載置し、
前記野地板から取り外す場合には、軒側から棟側の方向に押し込むことで前記フックを前記開口から引き抜くこと、
を特徴とする屋根瓦型の太陽電池モジュール。
【請求項２】
前記フックは、軒側寄りに斜め下方に向けて鈍角に折り曲げられ、
前記野地板から取り外す場合には、前記支持面を支点にして棟側に回転させるようにモジュールの軒側を持ち上げつつ、軒側から棟側に押し込むことで、前記フックを前記開口から引き抜くこと、
を特徴とする請求項１記載の太陽電池モジュール。
【請求項３】
前記フレームの軒側先端に延設されて湾曲しながら垂れ下がる垂れ下がり部と、
前記フレームの棟側に設けられ、モジュール上面から立ち上がって軒側へ屈曲したフランジと、
を備え、
梁行方向で一つ後段の太陽電池モジュールの前記垂れ下がり部をその前段の太陽電池モジュールの前記フランジに被せ、
前記垂れ下がり部の表面から裏面に貫通させて前記フランジの下面に当接させるように留め具を挿通し、
前記野地板から取り外す場合には、前記留め具を外した上で軒側を持ち上げること、
を特徴とする請求項１又は２に記載の太陽電池モジュール。
【請求項４】
前記野地板から取り外す太陽電池モジュールの前記垂れ下がり部に覆われた前記フランジの上方には空間部が設けられ、当該フランジを有する太陽電池モジュールが軒側が持ち上げられたときに当該フランジが回転可能であること、
を特徴とする請求項３記載の太陽電池モジュール。
【請求項５】
フレームの脇側上面に設けられ、脇側の端部へ向けて隆起して当該端部で絶壁となる上方隆起部を更に備え、
桁行方向で隣合う太陽電池モジュールが有する上方隆起部と合わさって山形を形成すること、
を特徴とする請求項１乃至４の何れかに記載の太陽電池モジュール。
【請求項６】
フレームの脇側裏面に設けられ、脇側の端部へ向けて隆起して当該端部で絶壁となる下方隆起部を更に備え、
桁行方向で隣合う太陽電池モジュールが有する下方隆起部と合わさって山形を形成すること、
を特徴とする請求項５記載の太陽電池モジュール。
【請求項７】
梁行方向で後段の太陽電池モジュールの下方に棟から軒へ沿って設けられ、前段のモジュールの棟側上面に先端が載せられる雨樋を更に備えること、
を特徴とする請求項５又は６記載の太陽電池モジュール。
【請求項８】
フレームの棟側上面に設けられる係止突起部と、
フレームの軒側に棟から軒に向かって貫設された開口と、
前記雨樋の先端に設けられ、側方に折り曲げ可能な折曲げ部と、
を更に備え、
前記開口に前記雨樋の先端を挿入して前記突起部に突き合わせ、前記折曲げ部を前記開口よりも拡がるように折り曲げることで、前記雨樋が前記前段の太陽電池モジュールに載せられること、
を特徴とする請求項７記載の太陽電池モジュール。
【請求項９】
前記前段の太陽電池モジュールに設けられた前記係止突起部及び前記開口は、後段の桁行方向で隣り合う太陽電池モジュールの境界延長上に設けられること、
を特徴とする請求項８に記載の太陽電池モジュール。
【請求項１０】
前記雨樋を挿入する開口は、ノックアウト構造により形成されること、
を特徴とする請求項９記載の太陽電池モジュール。
【請求項１１】
梁行方向で後段の太陽電池モジュールが有するフレームの軒側上面には、その前段の桁行方向で隣り合う太陽電池モジュールの境界延長上に分流突起部が設けられていること、
を特徴とする請求項５乃至１０の何れかに記載の太陽電池モジュール。
【請求項１２】
前記フレームは継ぎ目なく形成されていること、
を特徴とする請求項１乃至４の何れかに記載の太陽電池モジュール。
【請求項１３】
前記フレームの内側領域に形成され、前記太陽電池パネルを支持する受け板を更に備えること、
を特徴とする請求項１乃至４の何れかに記載の太陽電池モジュール。
【請求項１４】
前記受け板は、前記フレームの全内側領域にわたって延設されること、
を特徴とする請求項１３記載の太陽電池モジュール。
【請求項１５】
前記受け板は、前記フレームの内側領域の縁に沿って延設され、
前記フレームの内側領域は、前記受け板と、当該受け板で囲まれた貫通部分とを有すること、
を特徴とする請求項１３記載の太陽電池モジュール。
【請求項１６】
前記フレームに嵌め込まれた前記太陽電池パネルを上面から押さえ込む鍔部を着脱可能に更に備えること、
を特徴とする請求項１２に記載の太陽電池モジュール。
【請求項１７】
前記太陽電池パネルの上面は、前記フレームの上面と面一であるか、又は前記フレームの上面より高いこと、
を特徴とする請求項１２に記載の太陽電池モジュール。
【請求項１８】
前記フレームに囲まれた内側領域に放熱構造を更に備えること、
を特徴とする請求項１乃至４の何れかに記載の太陽電池モジュール。
【請求項１９】
前記フレームの上面には、雪を留める突起が形成されていること、
を特徴とする請求項１乃至４の何れかに記載の太陽電池モジュール。
【請求項２０】
前記フレームの上面には、雪止めの粗面化処理がなされていること、
を特徴とする請求項１乃至４の何れかに記載の太陽電池モジュール。
【請求項２１】
少なくとも軒側最先端のモジュールが有するフレームの軒側には、瓦の形状に沿った凹部が形成されていること、
を特徴とする請求項１乃至４の何れかに記載の太陽電池モジュール。
【請求項２２】
前記凹部は、ノックアウト構造により形成されていること、
を特徴とする請求項２１記載の太陽電池モジュール。
【発明の詳細な説明】
【技術分野】
【０００１】
本実施形態は、屋根瓦やスレート材等と同じように屋根に葺くことができる屋根瓦型の太陽電池モジュールに関する。
【背景技術】
【０００２】
近年、地球温暖化、化石燃料の枯渇が問題となっており、地球環境とエネルギーに対する関心が急速に高まっている。このような状況の下、環境負荷の少ないエネルギー源として太陽光が注目されており、太陽光を電力に変換することのできる太陽電池モジュールを建物の屋根に設置する一般家庭が増えている。
【０００３】
太陽電池モジュールを屋根へ設置する形態としては、特許文献１に示されるように、屋根瓦やスレート材が葺かれた既設置の屋根に架台や固定用部材を設置し、その上に太陽電池モジュールを固定する方法が多く採用されている。また、近年、例えば特許文献２に示されているように、屋根瓦やスレート材を屋根に葺くことなく、太陽電池モジュールを野地板又はルーフィングシートを介して敷く形態も提案されている。
【０００４】
太陽電池モジュールを直接屋根に敷く形態は、意匠性の向上、施工の容易化、また屋根瓦等を省くことによる住宅建築コストの削減の観点から、注目されているものである。さらに国内では住宅用太陽電池一体型屋根システムも提案されている。
【０００５】
この屋根瓦型の太陽電池モジュールには、家を風雨から守るという既存の瓦が実現している最も基本的な機能を同等以上のレベルで発揮したその上で、住宅の屋根上という過酷な状況、すなわち紫外線や温度変化、雨水、積雪、凍結、降雹、塵埃等の影響を長期に亘り継続的に受け続ける環境下において、太陽光による発電機能を発揮することが求められる。
【０００６】
しかし、従来の屋根瓦型の太陽電池モジュールには、製造面、止水性能、強度、施工性、保守性、発電性能、雪止め機能といった諸点で後述のようにまだまだ改善の余地がある。
【０００７】
まず屋根瓦型の太陽電池モジュールの製造面であるが、現在普及している太陽電池モジュールはアルミ押し出し型で成型されたアルミフレームを太陽電池パネルの枠として用いる製造方法が主流であり、温度管理されたブチルやシリコン接着剤などをアルミフレームに塗布後、均等な圧力を加えつつ太陽電池パネルを嵌合させ、さらにビス止めしてモジュールとして完成させるため、その組み立て工程は単純とは言えなかった。
【０００８】
止水性においては前述したような押し出し成型されたアルミフレーム間をビスで接合する方式では、モジュールの四隅の突合せ部分は構造上止水性能が低下する懸念があり屋根瓦に比べ不利であると言わざるを得ない。また屋根面には桁行き方向に複数個の屋根瓦型の太陽電池モジュールが並ぶが左右のモジュールが突き合わさる部分の止水対策としてはモジュール間カバーを被せる機構が考案されているが、このことはモジュールの構造を複雑化させるばかりでなく太陽電池面積を狭め、ひいては屋根面積あたりの発電量も低下させる要因ともなり改善の余地がある。
【０００９】
強度面においては、アルミ押し出し型フレームだけではその強度が不足するためそれを補強するために余分なモジュール支持材を加える事例が散見されるほか、太陽電池パネル面とフレーム面にその構造上若干の段差ができ、積雪地域に設置した場合、この部分に積雪下面の凍結した部分がかみ合い、フレームに大きな力がかかりフレームの変形、場合によっては太陽電池モジュールの破損にまで発展するトラブル事例も良く知られている。また当該段差部分には雨水や塵埃が溜まりやすく太陽電池モジュールの長期信頼性にも少なからず良くない影響を与えていたことも見逃せない。
【００１０】
施工性においては、既存の瓦が瓦桟と呼ばれる屋根面上の野地板に固定する補助材に引っ掛けて固定する極めて単純な構成と方法であることに比べ、複雑な機構や構造をもつ特殊な固定用金具を使用している例が多い。また設置する太陽電池モジュール数が多くなるとアース線接続の手間も無視できず改善の余地があった。
【００１１】
性能面においては屋根瓦型の太陽電池モジュールの場合、後置き型の太陽光発電システムに比べ裏面開放の度合いが低く、屋根面への密着度が高いことに起因し熱が篭り易い傾向にあることは否めず、一般に最も発電効率が高いシリコン結晶系の太陽電池モジュールを用いた場合、温度特性上、温度上昇に伴い若干ながら発電効率が低下することが良く知られており、太陽電池モジュールの温度上昇をできるだけ低く抑えるための対策が望まれている。
【００１２】
最後に雪止め機能であるが、雪止め機構はアルミ押し出し型フレームを用いる場合、アルミフレームの肉厚上の強度面から強固な雪止め機構を設けることが難しく、既存の瓦で実現されていた十分な雪止め機能を提供できなくなる恐れがあり、積雪地域に設置する場合落雪事故を未然に防ぐことができない事態も想定される。
【００１３】
このように現状の屋根瓦型の太陽電池モジュールには、製造面、止水性能、強度、施工性、保守性、発電性能、雪止め機能といった諸点で前述のようにまだまだ改善の余地があるため、太陽電池モジュールの施工性とともに、劣化してしまった太陽電池モジュールの交換容易性も求められている。
【００１４】
すなわち、既存の瓦の場合、瓦単独の機能が損なわれるケースは稀で、かつ瓦自体の構造そのものがシンプルであることから一枚交換のための機構や特段の工夫の必要性は相対的にはあまり高くなかった。一方、屋根瓦型の太陽電池モジュールでは従来の屋根瓦の機能に加えて太陽光を利用し発電するという機能を併せ持つことから、たとえば屋根瓦としての機能が健全であっても発電する機能が故障すれば太陽光発電システム全体としての機能が損なわれるか、または全体としての性能低下を招くことから、故障した屋根瓦型太陽電池モジュールの一枚交換が容易かつ安全に行われる必要が生ずる。
【００１５】
例えば、非特許文献１に示されているような屋根瓦型の太陽電池モジュールは、交換容易性も考慮されている。この太陽電池モジュールの脇は、梁行き方向に沿って空間を有するコの字状のモジュール支持材で支持され、また太陽電池モジュールの後端にはモジュール外へ延びて上方に湾曲したフックを設けてある。フックを解除した後、太陽電池モジュールに対して棟から軒方向への力をかけることで、太陽電池モジュールは取り外し可能となる。
【先行技術文献】
【特許文献】
【００１６】
【特許文献１】特開平０８−２９６７９６号公報
【特許文献２】特開２０００−３４５６７１号公報
【非特許文献】
【００１７】
【非特許文献１】松下電工技報（Mar.2002）１６〜２１頁、住宅用太陽電池一体型屋根システム
【発明の概要】
【発明が解決しようとする課題】
【００１８】
屋根瓦型の太陽電池モジュールの交換の際には、交換作業における作業員の安全性確保も含めた高い保守性も求められる。具体的には、傾斜屋根面上での作業においては作業員には常に落下事故といった危険性が隣り合わせており、他のモジュールと固く固着されているモジュールを軒側方向に強い力で引き抜くような交換方式の場合、作業員が転落防止の安全策を取っていなければその引き抜きの勢いによっては作業員が屋根から転落する危険性もゼロではなかった。
【００１９】
本実施形態は、上記のような状況に鑑みてなされたものであり、交換の際の作業員の安全性を確保し、作業員が屋根から転落する危険性を低下させた屋根瓦型の太陽電池モジュールを提供することを目的とする。
【課題を解決するための手段】
【００２０】
本実施形態の屋根瓦型の太陽電池モジュールは、フレームに太陽電池パネルを嵌め込んでなり、梁行き方向に積み重ねるように野地板上に直接又はルーフィングシートを介して敷設される太陽電池モジュールであって、前記野地板に対する立ち上がり面と当該立ち上がり面から屈曲した支持面とを有する固定具と、前記立ち上がり面に設けられた開口と、前記フレームの棟側に設けられ、モジュール裏へ立ち上がって軒側へ屈曲するフックと、を備え、前記野地板へ敷設する場合には、前記フックを棟側から前記開口に挿入して引っ掛けつつ、前記支持面に前記フレームの棟側を載置し、前記野地板から取り外す場合には、軒側から棟側の方向に押し込むことで前記フックを前記開口から引き抜くこと、を特徴とする。
【００２１】
前記フックは、軒側寄りに斜め下方に向けて鈍角に折り曲げられ、前記野地板から取り外す場合には、前記支持面を支点にして棟側に回転させるようにモジュールの軒側を持ち上げつつ、軒側から棟側に押し込むことで、前記フックを前記開口から引き抜くようにしてもよい。
【００２２】
また、前記フレームの軒側先端に延設されて湾曲しながら垂れ下がる垂れ下がり部と、前記フレームの棟側に設けられ、モジュール上面から立ち上がって軒側へ屈曲したフランジと、を備え、梁行方向で一つ後段の太陽電池モジュールの前記垂れ下がり部をその前段の太陽電池モジュールの前記フランジに被せ、前記垂れ下がり部の表面から裏面に貫通させて前記フランジの下面に当接させるように留め具を挿通し、前記野地板から取り外す場合には、前記留め具を外した上で軒側を持ち上げるようにしてもよい。
【００２３】
また、前記野地板から取り外す太陽電池モジュールの前記垂れ下がり部に覆われた前記フランジの上方には空間部が設けられ、当該フランジを有する太陽電池モジュールが軒側が持ち上げられたときに当該フランジが回転可能であるようにしてもよい。
【図面の簡単な説明】
【００２４】
【図１】太陽電池モジュールの全体構成を示す斜視図である。
【図２】太陽電池モジュールを設置した屋根の状態を示す斜視図である。
【図３】太陽電池モジュールを設置した状態を桁行き方向に沿って切断した断面図である。
【図４】太陽電池モジュールのフレームを示し、（ａ）は前面斜視図であり、（ｂ）は背面斜視図であり、（ｃ）は側面図である。
【図５】フレームの棟側を支持する固定具を示す背面斜視図である。
【図６】太陽電池モジュールの脇側枠を示す拡大図である。
【図７】太陽電池モジュールの境界下に配置される雨樋を示す斜視図である。
【図８】最前段の太陽電池モジュールが重なる屋根材に対して取り付けられる取付用係止具を示す斜視図である。
【図９】設置手順の第１番目を示す図である。
【図１０】設置手順の第２番目を示す図である。
【図１１】設置手順の第３番目を示す図である。
【図１２】設置手順の第４番目を示す図である。
【図１３】交換手順の第１番目を示す図である。
【図１４】交換手順の第２番目を示し、（ａ）は雨樋先端の拡大図で折曲げ部を戻す前を示し、（ｂ）は雨樋先端の拡大図で折曲げ部を戻した後を示し、（ｃ）は太陽電池モジュールの全体を示す側面図である。
【図１５】交換手順の第３番目を示す図である。
【図１６】交換手順の第４番目を示す図である。
【図１７】交換手順の第５番目を示す図である。
【図１８】他の実施形態に係るフレームを示し、（ａ）は斜視図であり、（ｂ）は側面図である。
【図１９】雪止めの処理を施したフレームの斜視図である。
【図２０】太陽電池パネルのみを交換可能としたフレームの上面図である。
【図２１】固定具の他の実施形態を示す斜視図である。
【発明を実施するための形態】
【００２５】
以下、屋根瓦型の太陽電池モジュールの実施形態について図面を参照しつつ詳細に説明する。この実施形態において、梁行き方向とは、建物の棟と軒とを繋ぐ方向であり、この方向に沿って連続する太陽電池モジュールの位置を前段や後段のように段で表現する。そして、梁行き方向と直交する方向を桁行き方向と呼ぶ。また、上とは太陽側を指し、下又は底とは野地板側を指す。すなわち、モジュールの上面や上部や上方とは、太陽光に晒す側をいい、モジュールの裏面や下方とは、その逆側である野地板に臨む側をいう。また、軒側を前又は先と呼び、棟側を後と呼ぶこともある。
【００２６】
（全体構成）
図１は、太陽電池モジュール１の全体構成を示す斜視図であり、図２は、この太陽電池モジュール１を設置した屋根３００の状態を示す斜視図であり、図３は、この太陽電池モジュール１を設置した状態を梁行き方向に沿って切断した断面図である。
【００２７】
図１に示すように、太陽電池モジュール１は、太陽電池パネル２とフレーム３とを有する。太陽電池パネル２は、全体の強度を保つためにフレーム３に嵌め込まれている。
【００２８】
太陽電池パネル２は、光起電力効果を利用して光エネルギーを電力に変換する太陽電池セルを、複数枚直並列に接続してなる発電体である。複数枚の太陽電池セルを直並列に接続することで、必要な電圧と電流を得られるようにしている。この太陽電池セルは、周囲の環境に耐えるために、ＥＶＡ等の充填剤で封止され、更にガラス板等の支持板で少なくとも上面が覆われている。
【００２９】
フレーム３は、太陽電池パネル２の外形に内形を合わせた矩形の枠体であり、フレーム３の軒側に位置する枠辺である軒側枠３ａ、フレーム３の棟側に位置する枠辺である棟側枠３ｂ、及びフレーム３の脇側に位置する枠辺である脇側枠３ｃで構成されており、耐食性に優れたアルミニウム等の素材を用いてダイキャスティング等によって継ぎ目なく形成されている。
【００３０】
このような太陽電池モジュール１は、図２に示すように、屋根瓦やスレート材等の従来の屋根材の代わりにルーフィングシートを介してアレイ状に敷き詰められる。太陽電池モジュール１の敷き詰め態様としては、千鳥葺きや一文字等の何れでもよく、軒から棟にかけた梁行き方向に多段に積み重ねられる。屋根３００の端等、太陽電池モジュール１を敷き詰めなかった余地には、従来の屋根瓦やスレート材等の屋根材を太陽電池モジュール１と一体的に敷き詰めてもよい。
【００３１】
具体的には、図３に示すように、太陽電池モジュール１の軒側枠３ａは、梁行き方向で前段に位置する太陽電池モジュール１の棟側枠３ｂに覆い被せられる。最前段の太陽電池モジュール１の軒側枠３ａは、垂木２００に乗った屋根材の棟側に覆い被せられる。
【００３２】
太陽電池モジュール１の棟側枠３ｂは、野地板１００に固定具４をビス留めしておき、この固定具４に載せられる。固定具４に載せられると、太陽電池モジュール１の姿勢は野地板１００の傾斜面に対して略水平となる。また、太陽電池モジュール１には棟側枠３ｂにフック５が取り付けられており、固定具４には開口４４が設けられており、フック５を固定具４の開口４４に引っ掛けておくことで、太陽電池モジュール１の軒側への滑落を防止している。
【００３３】
太陽電池モジュール１を前段に覆い被せる際には、後段のフレーム３の軒側枠３ａに設けられた垂れ下がり部６で、前段のフレーム３の棟側枠３ｂに設けられたフランジ７を覆い被せ、留め具６４で両者を係合し、太陽電池モジュール１のめくれを防止しておく。
【００３４】
また、各太陽電池モジュール１の下方には、桁行き方向で隣り合うモジュール境界に沿って雨樋８１が延設される。雨樋８１は、棟側後端に有する足８１ｃで野地板上に立ち、梁行き方向で前段に位置する太陽電池モジュール１の棟側枠３ｂの上面に軒側先端を乗り上げるようにして設置される。
【００３５】
（詳細構成）
このような太陽電池モジュール１の詳細構成を図４乃至８に基づき更に説明する。図４は、太陽電池モジュール１のフレーム３を示し、（ａ）は前面斜視図であり、（ｂ）は背面斜視図であり、（ｃ）は側面図である。図５は、フレーム３の棟側を支持する固定具４を示す背面斜視図である。また、図６は、太陽電池モジュール１の脇側枠３ｃを示す拡大図であり、図７は、太陽電池モジュール１の境界下に配置される雨樋８１を示す斜視図である。図８は、最前段の太陽電池モジュール１が重なる屋根材に対して取り付けられる取付用フランジ９２を示す斜視図である。
【００３６】
（パネル嵌め込み構成）
まず、図４に示すように、フレーム３のパネル支持構成として、フレーム３には、太陽電池パネル２を受ける受け板３１が延設されている。受け板３１は、フレーム３が画成する内側領域の全縁にわたって延び、嵌め込まれた太陽電池パネル２の縁を底側から支持する。受け板３１と太陽電池パネル２とは、止水性と耐候性と耐熱性を備える接着剤を用いて接着される。
【００３７】
フレーム３及び受け板３１の高さは、太陽電池パネル２が嵌め込まれたときに、フレーム３と太陽電池パネル２が面一又は若干太陽電池パネル２が高くなるように調整される。この受け板３１は、内側領域の縁部分のみに存在し、内側領域の大半は貫通部分３２となっている。貫通部分３２は、太陽電池パネル２の放熱に寄与する。
【００３８】
（めくれ防止構成）
次に、太陽電池モジュール１が風などで捲れ上がらないように屋根３００に取り付けるための構成である垂れ下がり部６とフランジ７について説明する。
【００３９】
垂れ下がり部６は、軒側枠３ａの全長にわたって一体的に延設され、軒側枠３ａの上部先端を基端として軒先側へ向けてフレーム３の外に拡がるように延びている。垂れ下がり部６の厚みは、フレーム３の高さよりも薄い。この垂れ下がり部６は、軒先へ垂れ下がるように湾曲した後、垂直に下方へ向かい、先端はフレーム３の裏面よりも下方に到達している。但し、垂れ下がり部６を前段の太陽電池モジュール１に覆い被せた際には、垂れ下がり部６の先端と前段の太陽電池モジュール１の上面との間に隙間が生じるように先端位置は調整されている。
【００４０】
この垂れ下がり部６において、軒先へ垂れ下がるように湾曲した湾曲部分６１と垂直降下した直下部分６２によって巻き込まれた内側領域には、空間部６３が画成されている。尚、フランジ７に覆い被さることができ、覆い被さったときにフランジ７の上方に空間が存在できれば、垂れ下がり部６は必ずしも湾曲させる必要はなく、Ｌ字を横たえた形状を有していてもよい。
【００４１】
フランジ７は、棟側枠３ｂの全長にわたって一体的に延設され、棟側枠３ｂの上部後端側を基端として、モジュールの内側へ巻き込むように延びている。このフランジ７は、モジュール上面に立ち上がった後、太陽電池パネル２の上方へ向かう軒側方向へ屈曲している。すなわち、フランジ７は、立上がり部７１と屈曲部７２とを備えている。屈曲部７２の先端は、棟側枠３ｂの上方に留まる。フランジ７の高さは、垂れ下がり部６の直下部分６２よりも低く、屈曲部７２の基端から先端までの長さは、垂れ下がり部６の湾曲部分６１よりも短い。そのため、フランジ７は、太陽電池モジュール１の軒を持ち上げると空間部６３内で回転可能となっている。
【００４２】
（滑落防止構成）
次に、太陽電池モジュール１が滑落しないように屋根３００に取り付けるための構成であるフック５と固定具４について説明する。
【００４３】
フック５は、フレーム３を形成するアルミニウムよりも強度の高いステンレス鋼製で形成され、一枚の板が鈍角に折れ曲がった「くの字」形状を有する。このフック５は、屈曲部分を境に片側がフレーム３に対する取付面５１となり、他方側が固定具４への引掛部５２となる。フック５は、鈍角のうち劣角をフレーム３側に向けて取り付けられる。取付面５１は、フレーム３の棟側枠３ｂの後端側面に面を合わせネジ留めされる。フック５は、棟側枠３ｂに沿って複数個が取り付けられ、各フック５は、フレーム３の裏面から立ち上がり、引掛部５２が軒側寄りに斜め下方に向かうこととなる。
【００４４】
固定具４は、図５に示すように、ステンレス鋼等の矩形板を曲げ加工されて成り、２つの直角が連続して平行面が重ならないクランク形状を有する。一方の平行面が野地板１００に面で設置される設置面４１となり、他方の平行面が棟側枠３ｂの裏面を支持する支持面４２となる。フック５に対する開口４４は、平行面を繋ぐ立ち上がり面４３に貫設されている。尚、立ち上がり面４３を挟んで設置面４１とは反対の側には、設置の安定性を高めるべく、設置面４１と同じ高さの補助板４５が延設されている。
【００４５】
（防浸水構成）
図４に戻り、フレーム３の軒側枠３ａには、上面にくさび型の分流突起部８２が膨出している。梁行き方向で一つ前段に位置し、桁行き方向で隣り合う太陽電池モジュール１の境界を延長すると、この分流突起部８２は当該延長上に設けられ、角を棟側に向けている。太陽電池モジュール１の表面を流れる雨水は分流突起部８２が障害となって、前段の太陽電池モジュール１の境界へ流れ込みにくくなる。
【００４６】
更に、フレーム３の脇側枠３ｃの上面には、図６に示すように、上方隆起部８３が形成されている。上方隆起部８３は、脇側枠３ｃの延び方向に沿って延び、またフレーム３の外端へ向けて隆起して端部で絶壁となっている。この上方隆起部８３は、桁行き方向で隣り合う太陽電池モジュール１の上方隆起部８３と合わさって一つの山形を形成する。雨水は山を下って流れるため、境界から雨水が浸水しにくくなっている。
【００４７】
また、フレーム３の脇側枠３ｃの裏面には、下方隆起部８４が形成されている。下方隆起部８４は、脇側枠３ｃの延び方向に沿って延び、またフレーム３の外端へ向けて隆起して端部で絶壁となっている。この下方隆起部８４は、桁行き方向で隣り合う太陽電池モジュール１の下方隆起部８４と合わさることで、野地板１００側に尾根が向く一つの山形を形成する。境界から侵入してしまった雨水は、山形の尾根から垂れるようになり、太陽電池モジュール１の表面を伝って雨水が方々へ流動しにくくなっている。
【００４８】
この上方隆起部８３及び下方隆起部８４の直下、すなわち桁行き方向で隣り合う太陽電池モジュール１の境界直下に雨樋８１が配置される。この雨樋８１は、図７に示すように、上面が解放された長尺の箱形状を有しており、更に一先端が開いている。この開口端には、雨樋８１の底面が山型に切り欠かれることでＶ字面８１ａが形成されている。Ｖ字面８１ａは底面の中心線に角を揃えて形成される。また、雨樋８１の先端に位置する両側壁は、先端から適当な範囲までが折曲げ部８１ｂとなっている。この折曲げ部８１ｂは、底面と側壁との境界が切り込まれることで底面と断絶しており、その切り込みの終点で側方に拡がるように折り曲げ可能となっている。
【００４９】
Ｖ字面８１ａは、雨樋８１が軒方向への滑落を防止する係止機構の一要素となる。また、折曲げ部８１ｂは、雨樋８１の棟方向への抜けを防止する係止機構の一要素となっている。
【００５０】
すなわち、図４に戻り、フランジ７の立上がり部７１に、雨樋８１が挿通される開口７３が貫設されている。この開口７３は雨樋８１よりも若干高く、雨樋８１が挿通されても開口７３の上側には空間が残る。太陽電池モジュール１が千鳥配置されることを前提とし、梁行き方向で一つ後段に位置し、且つ桁行き方向で隣り合う太陽電池モジュール１の境界を延長すると、この開口７３は、当該延長線上であって、フック５の取付位置とは桁行き方向にズレて貫設されている。この開口７３は、各種の千鳥配置に対応できるように、ノックアウト構造で複数形成されている。すなわち、開口７３の外形に従って絞り加工等を施すことで壁の厚みを薄くし、現場で開口７３を形成し易くしておく。
【００５１】
更に、棟側枠３ｂにおいて、この開口７３よりもフレーム３の内側領域寄りに棟側に角を向けたくさび型の係止突起７４が形成されている。雨樋８１を開口７３に挿入することでＶ字面８１ａと係止突起７４とが突き合い、挿入後に折曲げ部８１ｂを開口７３の幅よりも広がるように折り曲げることで開口７３の脇と折曲げ部８１ｂが接触するようになる。
【００５２】
（その他の構成）
図４に示すように、軒側枠３ａの上面には、桁行き方向に長い雪止め突起９１が膨出している。この雪止め突起９１は、太陽電池モジュール１の上面を雪が滑落するのを防止する。
【００５３】
また、最前段の太陽電池モジュール１が有する垂れ下がり部６で内包するフランジ７については、図８に示す取付用フランジ９２が代用される。この取付用フランジ９２は、野地板１００に設置される設置面９２ａを有し、この設置面９２ａから立上がり部７１と屈曲部７２が延びている。取付用フランジ９２の立上がり部７１は、垂木２００に乗った屋根材よりも高く延びている。
【００５４】
（敷設手順）
このような太陽電池モジュール１の敷設手順について図面を参照しつつ説明する。図９は、設置手順の第１番目を示す図であり、図１０は、設置手順の第２番目を示す図であり、図１１は、設置手順の第３番目を示す図であり、図１２は、設置手順の第４番目を示す図である。
【００５５】
まず、図９の設置手順１に示すように、取付用フランジ９２の屈曲部７２を軒側に向け、取付用フランジ９２の立上がり部７１を屋根材の後端面に合わせ、設置面９２ａを野地板１００にビス留めする。
【００５６】
次に、図１０の設置手順２に示すように、予め太陽電池モジュール１−１にフック５を取り付けておく。フック５は、引掛部５２がフレーム３の裏側へ潜り込むようにして取付面５１を棟側枠３ｂの後端面に合わせ、フレーム３にビスで固定しておく。
【００５７】
そして、フック５を取り付けた太陽電池モジュール１−１の垂れ下がり部６を取付用フランジ９２の屈曲部７２に覆い被せる。垂れ下がり部６を被せると、その直下部分６２の裏面を取付用フランジ９２の先端に突き当てるように、太陽電池モジュール１−１を棟側に引き上げることで、最前段の太陽電池モジュール１−１を位置決めする。
【００５８】
最前段の太陽電池モジュール１−１が位置決めされると、留め具６４の周面が取付用フランジ９２の屈曲部７２の下面と当接するように、垂れ下がり部６の表面から裏面へ留め具６４を貫通させる。
【００５９】
更に、雨樋８１を桁行き方向に並ぶ太陽電池モジュール１−１の境界に沿って設置する。最前段の太陽電池モジュール１−１の下方に位置させる雨樋８１は、先端を屋根材の上面に載せ、足８１ｃをビスで野地板１００に固定することで設置される。尚、取付用フランジ９２は太陽電池モジュール１−１の中央寄りに位置し、雨樋８１が物理的に障害となることはない。また、雨樋８１は、桁行き方向に並ぶ太陽電池モジュール１と屋根材との境界にも設置しておくことが望ましい。
【００６０】
次に、フック５の引掛部５２を棟側から固定具４の開口４４に差し込んでおき、固定具４を棟側に引き上げるようにしてフック５の引っ掛かりを確実ならしめた後、太陽電池モジュール１−１の棟側枠３ｂの裏側を支持面４２に載せて固定具４をビスで野地板１００に固定する。フック５が開口４４に引っ掛かった状態では、滑落防止だけでなく、開口４４と引掛部５２の大きさとによって桁行き方向に太陽電池モジュール１がずれることも抑制される。
【００６１】
次に、２段目の太陽電池モジュール１−２を取り付けるために、図１１の設置手順３に示すように、予めフック５を取り付けておく。フック５は、引掛部５２がフレーム３の裏側へ潜り込むようにして取付面５１を棟側枠３ｂの後端面に合わせ、フレーム３にビスで固定しておく。
【００６２】
そして、２段目の太陽電池モジュール１−２の垂れ下がり部６を最前段の太陽電池モジュール１−１のフランジ７に覆い被せる。そして、直下部分６２の裏面をフランジ７の先端に突き当てるように、２段目の太陽電池モジュール１−２を棟側に引き上げることで、当該太陽電池モジュール１−２を位置決めする。
【００６３】
２段目の太陽電池モジュール１−２を位置決めすると、留め具６４の周面がフランジ７の屈曲部７２の下面と当接するように、垂れ下がり部６の表面から裏面へ留め具６４を貫通する。
【００６４】
更に、雨樋８１のＶ字面８１ａが形成された先端をフランジ７の開口に差し込み、係止突起部７４にＶ字面８１ａを突き当てた上で、折曲げ部８１ｂを外側に折り曲げて、開口よりも拡げる。これにより、太陽電池モジュール１−２の下に配置される雨樋８１は、足を野地板１００に付けつつ太陽電池モジュール１−２と係合した状態となる。
【００６５】
雨樋８１の設置も終了すると、フック５の引掛部５２を棟側から固定具４の開口４４に差し込みつつ、太陽電池モジュール１の棟側枠３ｂを支持面４２に載置し、２段目の太陽電池モジュール１−２を棟側へ引き上げることでフック５の引っ掛かりを確実ならしめた後、固定具４をビスで野地板１００に固定する。
【００６６】
図１２に示すように、３段目以降の太陽電池モジュール１−３も２段目の太陽電池モジュール１−２の設置手順と同じように一つ前段の太陽電池モジュール１の棟側枠３ｂに重ねていく。そして、棟側の最上段の太陽電池モジュール１においては、棟側枠３ｂに棟を納め、また、屋根の端部において太陽電池モジュール１を乗せることができないスペースについては、従来の屋根材等を用いてケラバを納める。
【００６７】
（交換手順）
次に、一部の太陽電池モジュール１を交換する手順について図面を参照しつつ説明する。図１３乃至１７は、交換手順を順番に示しており、図１３から順番に交換手順の第１番目〜５番目を示している。
【００６８】
まず、図１３に示すように、交換手順の第１番目において、交換しようとする太陽電池モジュール１−１の一つ後段の太陽電池モジュール１−２を持ち上げる作業を行う。太陽電池モジュール１が千鳥配置されている場合には、垂れ下がり部６で交換対象に被さっている２台の太陽電池モジュール１−２を持ち上げる。
【００６９】
すなわち、太陽電池モジュール１−２の垂れ下がり部６を留めていた留め具６４を外し、垂れ下がり部６の下端に手を添え、当該太陽電池モジュール１−２の軒側のみを持ち上げておく。そして、太陽電池モジュール１−２と野地板１００との間にスペーサ９３を挟み込むことで、軒側が持ち上がった太陽電池モジュール１−２の姿勢を維持させておく。
【００７０】
太陽電池モジュール１−２の棟側枠３ｂの上面と更に一つ後段の太陽電池モジュール１−３の垂れ下がり部６との間には隙間が設けられている。また、持ち上げようとする太陽電池モジュール１−２のフランジ７の上方に空間部６３が存在する。更に、開口７３は雨樋８１よりも若干高い。
【００７１】
そのため、作業者が太陽電池モジュール１−２を棟側に向かって持ち上げれば、その太陽電池モジュール１−２は、一つ後段の太陽電池モジュール１−３の垂れ下がり部６の下端に当接するまで、固定具４の支持面４２を支点にして棟側に回転する。また、作業者が太陽電池モジュール１−２を棟側に向かって持ち上げても、雨樋８１が開口７３の上端に破損が生じるほど強く接触してしまうことはない。
【００７２】
一つ後段の太陽電池モジュール１−２を持ち上げ終わると、図１４に示すように、交換手順の第２番目において、交換対象の太陽電池モジュール１−１の係合している雨樋８１を当該太陽電池モジュール１−１から外す。具体的には、太陽電池モジュール１−２の下に延びている雨樋８１の折曲げ部８１ｂを元に戻し、雨樋８１を軒側から棟側へ押し込むことで、雨樋８１をフランジ７の開口７３から外す。雨樋８１の足は野地板１００に固定されていないので、作業員が雨樋８１の先端を手で押すことで簡単に雨樋８１を外すことができる。
【００７３】
一つ後段の太陽電池モジュール１−２を持ち上げ、雨樋８１を外すと、太陽電池モジュール１−１の交換に取りかかる。まず、図１５に示すように、交換手順の第３番目において、一つ後段の太陽電池モジュール１−２を持ち上げた手順と同じように、太陽電池モジュール１−１の垂れ下がり部６を留めていた留め具６４を外し、垂れ下がり部６の下端に手を添え、当該太陽電池モジュール１−１の軒側を持ち上げる。
【００７４】
このとき、当該太陽電池モジュール１−１の棟側枠３ｂの上面には、一つ後段の太陽電池モジュール１−２が既に持ち上げられていることにより障害物は存在しない。そのため、作業者が太陽電池モジュール１−１を棟側に向かって持ち上げれば、その太陽電池モジュール１は、固定具４の支持面４２を支点にして棟側に回転する。
【００７５】
次に、図１６の交換手順の第４番目において、持ち上げた太陽電池モジュール１−１を棟側斜め下方に向かって押し込むことで、太陽電池モジュール１−１を棟側にずらし、フック５の引掛部５２を固定具４の開口から引き抜く。これにより、交換対象の太陽電池モジュール１−１は一つ前段のフランジ７や一つ後段の固定具４との係合関係が解除されて取り外し可能となる。
【００７６】
そして、図１７の交換手順の第５番目に示すように、太陽電池モジュール１−１は何らの係合関係を有することはなくなり、野地板１００から取り除き、新しい太陽電池モジュール１を設置することができる。
【００７７】
（効果）
以上のように、本実施形態に係る太陽電池モジュール１は、固定具４と開口４４とフック５を備えるようにした。固定具４は、野地板１００に対する立ち上がり面４３と当該立ち上がり面４３から屈曲した支持面４２とを有する。開口４４は、固定具４の立ち上がり面４３に設けられる。フック５は、フレーム３の棟側に設けられ、モジュール裏へ立ち上がって軒側へ屈曲する。
【００７８】
この太陽電池モジュール１を野地板１００へ敷設する場合には、フック５を棟側から開口４４に挿入して引っ掛けつつ、支持面４２にフレーム３の棟側を載置する。この結果、野地板１００から取り外す場合には、軒側から棟側の方向に押し込むことでフック５を開口４４から引き抜くこととなる。
【００７９】
これにより、太陽電池モジュール１を交換しようとする屋根上の作業者は、交換対象の太陽電池モジュール１に対して軒側から棟側への押込力をかければよい。すなわち、棟側から軒側へ引っ張る力は必要とせず、作業者が勢い余って屋根から落下する危険性を低減させることができる。
【００８０】
また、本実施形態のように、フック５は軒側寄りに斜め下方に向けて鈍角に折り曲げられるようにしてもよい。その結果、野地板１００から取り外す場合には、支持面４２を支点にして棟側に回転させるようにモジュールの軒側を持ち上げつつ、軒側から棟側に押し込むことで、フック５を開口４４から引き抜くこととなる。
【００８１】
従って、太陽電池モジュール１を交換しようとする屋根上の作業者は、軒側から棟側へ斜め下方に押込力をかければよい。そのため、作業者が受ける軒側へ向かう抗力は小さくなり、作業者が勢い余って屋根から落下してしまう危険性を更に低減させることができる。
【００８２】
また、本実施形態のように、フレーム３の軒側先端に延設されて湾曲しながら垂れ下がる垂れ下がり部６と、フレーム３の棟側に設けられ、モジュール上面から立ち上がって軒側へ屈曲したフランジ７とを備えるようにしてもよい。梁行方向で一つ後段の太陽電池モジュール１の垂れ下がり部６をその前段の太陽電池モジュール１のフランジ７に被せ、垂れ下がり部６の表面から裏面に貫通させてフランジ７の下面に当接させるように留め具６４を挿通する。
【００８３】
その結果、野地板１００から取り外す場合には、留め具６４を外した上で軒側を持ち上げなくては太陽電池モジュール１を取り外すことはできず、誤った作業により作業者が屋根から落下してしまう危険性を低減させることができる。
【００８４】
このとき、野地板１００から取り外す太陽電池モジュール１の垂れ下がり部６に覆われたフランジ７の上方には空間部６３が設けられ、当該フランジ７を有する太陽電池モジュール１の軒側が持ち上げられたときに当該フランジ７が回転可能であるようにしておくことが望ましく、フランジ７と垂れ下がり部６の衝突による太陽電池モジュール１の破損を防ぐことができる。
【００８５】
また、フレーム３の脇側上面に設けられ、脇側の端部へ向かけて隆起して当該端部で絶壁となる上方隆起部８３を更に備え、桁行方向で隣合う太陽電池モジュール１が有する上方隆起部８３と合わさって山形を形成することもできる。これにより、雨水は２つの上方隆起部８３で形成される山を下るように流れるため、太陽電池モジュール１の境界から雨水が浸入することが防止できる。
【００８６】
更に、フレーム３の脇側裏面に設けられ、脇側の端部へ向けて隆起して当該端部で絶壁となる下方隆起部８４を更に備え、桁行方向で隣合う太陽電池モジュール１が有する下方隆起部８４と合わさって山形を形成することもできる。これにより、仮に雨水が太陽電池モジュール１の境界から染み込んでしまっても、太陽電池モジュール１の表面を伝って雨水が方々に流動しにくくなる。
【００８７】
この下方隆起部８４の直下に雨樋８１を設けておけば、止水性も向上する。雨樋８１は、梁行方向で後段のモジュールの下方に棟から軒へ沿って設けられ、前段のモジュールの棟側上面に先端を載せるようにしてもよい。
【００８８】
フレーム３の棟側上面に設けられる係止突起部７４と、フレーム３の軒側に棟から軒に向かって貫設された開口７３と、雨樋８１の先端に設けられて側方に折り曲げ可能な折曲げ部８１ｂとを備えるようにし、開口７３に雨樋８１の先端を挿入して係止突起部７４に突き合わせ、折曲げ部８１ｂを開口７３よりも拡がるように折り曲げることで、雨樋８１が前段のモジュールに載せられるようにすれば、施工は容易となる。
【００８９】
前段の太陽電池モジュール１に設けられた係止突起部７４及び開口７３は、後段の桁行方向で隣り合う太陽電池モジュール１の境界延長上に設けておけばよい。また、太陽電池モジュール１の各種の千鳥配置に対応できるように、雨樋８１を挿入する開口７３はノックアウト構造により形成されるようにしておけばよい。
【００９０】
更に、梁行方向で後段の太陽電池モジュール１が有するフレーム３の軒側上面には、その前段の桁行方向で隣り合う太陽電池モジュール１の境界延長上に分流突起部８２を設けるようにしておけば、境界へ向かおうとする雨水は少なくなり、雨水が太陽電池モジュール１の裏へ侵入する可能性も減少する。
【００９１】
また、フレーム３をダイキャスティング等で継ぎ目のないように形成した。これにより、押出成形と比べても組立工数が削減されて製造面での合理化が図れる。また雪止め突起９１も同時に成型することが可能で製造効率を向上させることができる。
【００９２】
止水性能面においてはアルミダイキャストで一体成型することで従来のアルミ押し出しで成型されたフレーム３を接合する太陽電池モジュール１の四隅の部分の構造的な弱点を解消でき、太陽電池パネル２とフレーム３面を同一の高さにして雨水が溜まらない。
【００９３】
強度面においては、アルミダイキャストの型の設計において必要とする強度を反映させれば良く、またフレーム３と太陽電池パネル２とを同一の高さにしたことから、アルミ押し出し型フレームを用いて仕上げた太陽電池モジュール１の場合に生ずる両者による段差を解消でき、積雪地域に設置した場合でも積雪下面の凍結した部分がフレーム３にかみ合うことが回避でき、フレーム３に大きな力がかかることも無く結果的に強度の高い屋根瓦型の太陽電池モジュール１を提供することができる。
【００９４】
施工面においてはケーブルの配線スペースが十分に確保され、設置位置に応じて固定具４や取付用フランジ９２を使い分けるだけの特別な工具も必要としない優れた施工性が得られる。
【００９５】
性能面においては固定具４や取付用フランジ９２の高さは強度条件を満たす範囲で自由であり、太陽電池モジュール１の裏面に適度な通風のための空間や配線スペースの空間を確保することが可能であり、特に前者の効果として太陽電池モジュール１の温度上昇を抑え発電効率向上を図ることができる。
【００９６】
雪止め機能については、雪止めを必要としない地域向けには雪止め機能を持たないフレーム３も求められる。このような事態に対応するためには一体成型するアルミダイキャストのフレーム３にあらかじめ必要な肉厚を確保しておくことで、後付で必要十分な雪止め効果を有する突起部を固定する方法も選択でき、一体型のアルミダイキャストフレームを雪止め機能付きと雪止め機能なしの２種類のフレーム３を作ることなく、１種類のフレームで両者のニーズを満たすことができる。
【００９７】
（その他の実施の形態）
本明細書においては、本発明に係る実施形態を説明したが、この実施形態は例として提示したものであって、発明の範囲を限定することを意図していない。具体的には、図１８に示すように、受け板３１は、太陽電池パネル２の信号線や電力線を引き出すためのジャンクションボックスを配置する開口を除き、フレーム３の全内側領域にわたって延設されるようにしてもよい。受け板３１を熱伝導性の高いアルミニウム製とすれば、太陽電池パネル２の放熱効率を高めることもできる。
【００９８】
また、フレーム３に囲まれた内側領域を棟から軒に掛けて縦断する放熱板９４を更に備えるようにすることで、熱伝導機能を有する受け板３１の表面積は大きくなり、放熱効率を更に高めることもできる。放熱板９４は、フレーム３に囲まれた内側領域に備える放熱構造の一例である。この放熱構造は、放熱板９４の設置に限るものではなく、突起群を設置してもかまわない。また、放熱構造はダイキャストによる一体構造であっても別部材として取り付けるようにしてもよく、その他、内側領域全体に及ぶ受け板３１に熱伝導性のシートを貼着する等の公知の各種構造であってもよい。
【００９９】
また、最前段の太陽電池モジュール１を膨らみのある屋根瓦と一体的に葺くために、フレーム３の軒側には屋根瓦の形状に沿った凹部６５を形成しておくようにしてもよい。この凹部６５で屋根瓦の膨らみを包み込むように太陽電池モジュール１を葺くことで、意匠性、止水性、及び耐風性が向上する。この凹部６５は、ノックアウト構造により形成してもよい。すなわち、軒側枠に凹部６５の外形に従って絞り加工等によって壁の厚みを薄くし、現場で凹部６５を形成し易くしておく。
【０１００】
更に、図１９に示すように、フレーム３の上面には粗面化処理を施した雪止め処理部９５を有するようにしてもよい。この雪止め処理部９５により、太陽電池モジュール１に積もった雪が軒先へ落下する危険性を減らすことができる。また、雪止め突起部９１を無くしたり、低くするなどして目立たなくし、かつ屋根瓦としての意匠、重厚感を持たせることもできる。
【０１０１】
更に、図２０に示すように、フレーム３に嵌め込まれた太陽電池パネル２を上面から押さえ込む鍔部９６を着脱可能に更に備えるようにしておくことで、太陽電池パネル２のみを交換することも可能となる。太陽電池パネル２を交換する場合には、鍔部９６を取り外してから、吸盤付きの取り外し工具であるサッカーなどを用いるとよい。これにより、太陽電池パネル２のみを交換することも容易となるばかりでなく、将来的な太陽電池の性能向上に伴い、太陽電池パネル２のみを交換してシステム全体の性能向上も可能となる。
【０１０２】
また、図２１に示すように、固定具４は、便宜上、太陽電池モジュール１の桁行き方向の長さより短い場合を例に説明したが、それらの桁行き方向の長さを規定するものではなく、例えば、太陽電池モジュール１より長くして複数のフック５を引っ掛けられるようにした上で、通風機能、ケーブル配線スペースを確保できるよう構成してもよい。これにより、太陽電池モジュール１のアース線の接続点数を減らせ、一度に複数枚の屋根瓦型の太陽電池モジュール１の固定具４を設置できるので、施工性を向上させることができる。
【０１０３】
以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【符号の説明】
【０１０４】
１  太陽電池モジュール
２  太陽電池パネル
３  フレーム
３ａ  軒側枠
３ｂ  棟側枠
３ｃ  脇側枠
３１  受け板
３２  貫通部分
４  固定具
４１  設置面
４２  支持面
４３  立ち上がり面
４４  開口
４５  補助板
５  フック
５１  取付面
５２  引掛部
６  垂れ下がり部
６１  湾曲部分
６２  直下部分
６３  空間部
６４  留め具
６５  凹部
７  フランジ
７１  立上がり部
７２  屈曲部
７３  開口
７４  係止突起部
８１  雨樋
８１ａ  Ｖ字面
８１ｂ  折曲げ部
８１ｃ  足
８２  分流突起部
８３  上方隆起部
８４  下方隆起部
９１  雪止め突起
９２  取付用フランジ
９２ａ  設置面
９３  スペーサ
９４  放熱板
９５  雪止め処理部
９６  鍔部
１００  野地板
２００  垂木
３００  屋根
【図１】
2013249582.tif 000003
【図２】
2013249582.tif 000004
【図３】
2013249582.tif 000005
【図４】
2013249582.tif 000006
【図５】
2013249582.tif 000007
【図６】
2013249582.tif 000008
【図７】
2013249582.tif 000009
【図８】
2013249582.tif 000010
【図９】
2013249582.tif 000011
【図１０】
2013249582.tif 000012
【図１１】
2013249582.tif 000013
【図１２】
2013249582.tif 000014
【図１３】
2013249582.tif 000015
【図１４】
2013249582.tif 000016
【図１５】
2013249582.tif 000017
【図１６】
2013249582.tif 000018
【図１７】
2013249582.tif 000019
【図１８】
2013249582.tif 000020
【図１９】
2013249582.tif 000021
【図２０】
2013249582.tif 000022
【図２１】
2013249582.tif 000023